(57)【特許請求の範囲】
【請求項１】
駆動源としてのソレノイドと、
前記ソレノイドの駆動片と連結される軸受部材と、
前記軸受部材により支持されて前記ソレノイドの駆動を受ける動滑車と、
一端が固定部に固定される固定端であり、前記動滑車にかけられるワイヤと、
前記動滑車を基準に前記ワイヤの前記固定端とは反対側の所定位置に取り付けられる演出用可動部材とを備えることを特徴とする遊技機。
【発明の詳細な説明】
【技術分野】
【０００１】
本発明は、パチンコ機等の遊技機に関し、特に遊技機が備える演出用可動部材の駆動機構に関する。
【背景技術】
【０００２】
遊技機の１つであるパチンコ機は、一般に、始動口や図柄表示装置などを有する遊技盤を備えて構成される。パチンコ球が始動口を通過することなどにより、図柄表示装置の複数の変動領域においてそれぞれ図柄群の変動が開始される。図柄群の変動開始より一定時間後に図柄群の変動が停止され、結果として図柄表示装置に特定の図柄が表示されると遊技者に特典が与えられる。
【０００３】
また従来、図柄表示装置による画像表示に加えて、実体のある可動部材を備え、両者が連動することで演出効果を高めるようにした構成が提案されている。例えば、特許文献１である。特許文献１では、ソレノイドの駆動片と直結されるワイヤを介して可動部材を動作させる技術について開示されている。
【０００４】
【特許文献１】特開２００５−１３１０９６号公報
【発明の開示】
【発明が解決しようとする課題】
【０００５】
演出効果を高めるためには大きな可動範囲が要求されるところ、ソレノイドの駆動片にワイヤが直結される場合、可動範囲はソレノイドの駆動片の往復範囲に限定される。大きな可動範囲を得るためにはソレノイドを大型にすることが考えられるが、設置スペースや重量、消費電力などの点で不利になる。そのため、ソレノイドの大型化には制限がある。特に可動部材及びその駆動機構を搭載した組物全体が他の駆動源により駆動される場合には、小型軽量化が強く要求される。このように、従来の技術では可動範囲の拡張と駆動機構の小型軽量化という２つの要求を満足することができない。
【０００６】
本発明は上記の課題に鑑み提案されたものである。本発明は、可動範囲が広くかつ小型軽量な可動部材の駆動機構を備えることにより、演出効果の向上を図ることが可能な遊技機を提供することを目的とする。
【課題を解決するための手段】
【０００７】
上記の課題を解決し目的を達成するために本発明に係る遊技機は、駆動源としてのソレノイドと、ソレノイドの駆動片と連結される軸受部材と、軸受部材により支持されてソレノイドの駆動を受ける動滑車と、一端が固定部に固定される固定端であり、動滑車にかけられるワイヤと、動滑車を基準にワイヤの固定端とは反対側の所定位置に取り付けられる演出用可動部材とを備えている。
【０００８】
これにより、ソレノイドの駆動を受ける動滑車にかけられるワイヤを介して可動部材を動作させることができる。したがって、動滑車の原理により可動部材の可動範囲をソレノイド駆動片のストロークの最大２倍に拡張することができる。この場合、大きな可動範囲を得るために大型のソレノイドを選択する必要はなく、駆動機構を小型軽量にすることができる。
【発明の効果】
【０００９】
本発明に係る遊技機によれば、可動範囲が広くかつ小型軽量な可動部材の駆動機構を備えることにより、演出効果の向上を図ることができる。
【発明を実施するための最良の形態】
【００１０】
図１は本発明の第１実施形態に係る可動部材の駆動機構を適用して、遊技盤１６を構成した一例を示す。遊技盤１６は奥行きのある層構造を有しており、奥から順に、図柄表示装置１７、人形１３及びベース１０の順で配置され、一番手前に遊技盤の盤面が取り付けられている。したがって、人形１３が、破線で示されるように遊技盤１６の右上に位置しているときは、遊技者からは人形１３は視認されず、図柄表示装置１７のみが見える。図２は図１に示される遊技盤１６について、手前の盤面を取り払って、図柄表示装置１７、人形１３及びベース１０を示した拡大図である。図１、図２を参照して遊技盤１６の構成を説明する。遊技盤１６の中央部には、図柄表示装置１７が取り付けられる。人形１３は可動部材１１ａ、１１ｂ、１１ｃを備える。ベース１０は可動部材１１ａ、１１ｂ、１１ｃを駆動する駆動機構を備える。ベース１０は、遊技盤１６の右端と図柄表示装置１７の右端とに挟まれた領域に回動可能に取り付けられる。ベース１０の回転軸にはモータ１８が備えられる。
【００１１】
このように構成された遊技盤１６の動作を説明する。人形１３は通常、図柄表示装置１７の領域外に退避している。所定のタイミングでモータ１８により、可動部材１１ａ、１１ｂ、１１ｃを備える人形１３及びその駆動機構を備えるベース１０を搭載した組物全体が回転駆動されて、人形１３は二点鎖線で示されるように図柄表示装置１７の前面へ駆動される。図柄表示装置１７による画像表示と人形１３とが連動することで、多様な演出が可能となる。
【００１２】
通常は図柄表示装置１７の領域外に退避している人形１３が所定のタイミングでのみ図柄表示装置１７の前面へ駆動されることで、演出効果の向上が図られる。このとき、可動部材１１ａ、１１ｂ、１１ｃを備える人形１３及びその駆動機構を備えるベース１０を搭載した組物全体がモータ１８により駆動される。駆動機構を備えるベース１０の設置スペースは遊技盤１６の枠内で、かつ図柄表示装置１７に重ならない領域に限られる。重量はモータ１８により駆動できる範囲に限られる。したがって、駆動機構が小型軽量であることが必要である。図１に示されるように、本発明の第１実施形態に係る可動部材の駆動機構によれば、可動部材１１ａ、１１ｂ、１１ｃの可動範囲を確保しながら、その駆動機構の小型軽量化を実現することができる。そのため、上記のように人形１３及びベース１０を搭載した組物全体を、他の駆動源であるモータ１８により駆動することが可能となる。
【００１３】
図３、図４を参照して、図１に示された遊技盤１６に備えられる可動部材１１ａ、１１ｂ、１１ｃを備える人形１３及びその駆動機構を備えるベース１０について詳細に説明する。図３、図４は人形１３及びベース１０の一例について、それぞれ外観と内部構造とを示す図である。図３と図４とにおいて、対応する構成要素については同じ符号が付されている。
【００１４】
ベース１０に備えられる駆動機構は、駆動源としてソレノイド１を備える。ソレノイド１の駆動片２と軸受部材６とが連結される。図４に示されるように、軸受部材６の内部にはプーリ５が支持されている。プーリ５は軸受部材６により支持されてソレノイド１の駆動を受ける動滑車を構成する。ワイヤ７は一端が固定部としてのベース１０に固定される固定端８であり、プーリ５にかけられる。人形１３が備える可動部材１１ａ、１１ｂ、１１ｃは、プーリ５を基準にしてワイヤ７の固定端８とは反対側の所定位置に取り付けられる。バネ１２は可動部材１１ａ、１１ｂ、１１ｃに取り付けられて、弾性力を与える。可動部材１１ａ、１１ｂ、１１ｃは、それぞれバネ１２が嵌められる軸を中心に揺動可能である。また、ワイヤ７は、例えばスプリングで構成される弾性筒部材９により被覆される。弾性筒部材９は、ワイヤ７との摩擦による可動部材１１ａ、１１ｂ、１１ｃやベース１０などワイヤ７と接触する領域の破損を防止し、ワイヤ７の滑らかな動きを実現する。
【００１５】
可動部材１１ａ、１１ｂ、１１ｃを備える人形１３及びその駆動機構を備えるベース１０はこのように構成される。続いてその動作を説明する。ソレノイド１がオフ状態のときは、ソレノイド１の駆動片２はソレノイド１の本体部分３に吸引されない。したがって、駆動片２と連結される軸受部材６により支持されるプーリ５もソレノイド１による駆動を受けないため、ワイヤ７の張力によって可動部材１１ａ、１１ｂ、１１ｃが駆動されることはない。図４に示されるように、可動部材１１ａ、１１ｂ、１１ｃは、バネ１２が与える弾性力によって支持される。可動部材１１ａは右上方向、１１ｂは右下方向、１１ｃは右下方向にそれぞれ突き当てられる。その結果、人形１３は図３に示されるように足と手とを下げ、頭を後へ引いた姿勢をとる。
【００１６】
図５〜図７を参照して、本発明の第１実施形態に係る可動部材の駆動機構について、さらに詳細に説明する。図５（ａ）〜（ｄ）は、第１実施形態に係る可動部材の駆動機構の分解図である。図６は駆動源としてのソレノイド１の一例を示す図である。図７は動滑車の構成要素であるプーリ５の一例を示す図である。図５〜図７において、図３、図４と対応する構成要素については同じ符号が付されている。
【００１７】
図６を参照して、ソレノイド１について説明する。ソレノイド１は、本体部分３内部のコイルに電流を流すことによりオフ状態からオン状態になる。そのときに発生する磁束によって、駆動片２が本体部分３に吸引される。その吸引力によって、駆動片２は本体部分３に向かってその軸方向に直線的に移動する。また、駆動片２の先端部には、この先端外周から外側方向に延出された所定径のフランジ２ａが形成されている。電流を流している間ソレノイド１はオン状態を保つ。電流を流さなくすることによりソレノイド１はオフ状態に戻り、駆動片２に連結される外部機構などによって、駆動片２は元の位置に引き戻される。また、通常、本体部分３にはソレノイド１を固定するための固定穴４が設けられる。
【００１８】
図７を参照して、プーリ５について説明する。プーリ５は、中心部に軸を通すための穴が開いた円盤であり、軸を中心に回転可能である。また、周囲にワイヤ７をかけるための溝部５ａがある。プーリ５の径の大きさについては、配置スペース上は小さいことが求められる。しかし、プーリ５にかけられるワイヤ７はプーリ５の径の大きさが小さいとクセがつき易くなり、摩擦や引っ掛かりなどの不具合の原因になる。そのため、本発明では、ワイヤ７固有のクセに対する特性を考慮して、プーリ５の径の大きさが選択される。これにより、ワイヤ７のクセつきが防止される。ワイヤ７のクセによる摩擦や引っ掛かりなどの不具合が防止される。
【００１９】
図５（ａ）に示されるように、軸受部材パーツ６ａには溝部６ａａが設けられる。溝部６ａａは、ソレノイド１の駆動片２の先端部に形成されたフランジ２ａの半円部分が収まり、かつフランジ２ａが引っ掛かって止まるように形成されている。また、軸受部材パーツ６ａには突起部６ａｂが設けられる。突起部６ａｂは、プーリ５の中心部に開いた穴に通され、プーリ５が回転可能に支持されるように形成されている。
【００２０】
図５（ｂ）に示されるように、軸受部材パーツ６ａ、６ｂが組み合わされて軸受部材６が形成される。軸受部材６はその周縁に、駆動片２の駆動方向と平行に柱状の凸部を有するように形成される。軸受部材パーツ６ｂにも軸受部材パーツ６ａの溝部６ａａと同様の溝部が設けられ、フランジ２ａの残りの半円部分が収まる。軸受部材パーツ６ａと６ｂとにより両側からソレノイド１の駆動片２が支持されて、軸受部材６はソレノイド１の駆動片２と連結される。また、軸受部材パーツ６ｂには軸受部材パーツ６ａの突起部６ａｂに対応する突起部が設けられる。両突起部が嵌合されて、プーリ５の軸が形成される。プーリ５が軸受部材６により回転可能に支持されて、ソレノイド１の駆動を受ける動滑車が構成される。
【００２１】
図５（ｃ）、（ｄ）に示されるように、ベースパーツ１０ａ、１０ｂ、１０ｃが組み合わされてベース１０が形成される。ベースパーツ１０ａは全体の受け皿部である。ベースパーツ１０ｂ、１０ｃには、軸受部材６の周縁に形成された柱状の凸部と嵌合する溝が設けられている。軸受部材６は、この溝でベースパーツ１０ｂと１０ｃとに嵌合して挟持される。これにより、軸受部材６はソレノイド１の駆動片２の駆動方向と平行に摺動自在に支持される。また、ソレノイド１及びワイヤ７の固定端８が、固定部であるベース１０に固定される。
【００２２】
このように構成されて、軸受部材６はベース１０に摺動案内される。軸受部材６を介して、ソレノイド１の駆動を、プーリ５が受けることができる。軸受部材６はソレノイド１の駆動片２の駆動方向と平行に摺動自在に支持されるため、軸受部材６及び軸受部材６により回転可能に支持されるプーリ５を安定して駆動することが可能となる。プーリ５にかけられるワイヤ７の固定端８とは反対側の所定位置に可動部材１１ａ、１１ｂ、１１ｃが取り付けられて、可動部材１１ａ、１１ｂ、１１ｃの可動範囲を確保しながら、その駆動機構の小型軽量化を実現することができる。
【００２３】
図８は図５に示される駆動機構のソレノイド１、プーリ５、軸受部材６及びワイヤ７の断面図である。図８（ａ）に一点鎖線で示された切断線Ｘ‐Ｘで駆動機構を切断し、その切断面を矢印で示された向きから見た断面図が図８（ｂ）、（ｃ）である。図８（ｂ）の枠で囲われた部分は、プーリ５と軸受部材６とで囲われたワイヤ７の動作領域であり、図８（ｃ）はその拡大図である。図８（ｂ）、（ｃ）に示されるように、軸受部材６側にも凹部が設けられる。したがって、ソレノイド１がオン状態からオフ状態になりワイヤ７が一時的に弛緩するときにワイヤ７は軸受部材６側に逃げることができ、プーリ５と軸受部材６との間のすき間にワイヤ７が挟み込まれるのを防ぐことができる。また、プーリ５と軸受部材６との間には段差がない。ワイヤ７の動作領域の壁は段差なく形成される。したがって、ワイヤ７が段差に引っ掛かるのを防止することができる。これらにより、ワイヤ７のプーリ５からの脱落を防止する効果が得られる。
【００２４】
続いて、図９〜図１２を参照して、ソレノイド１がオフ状態からオン状態になるときの動作を説明する。図９〜図１２において、上記の図８までと対応する構成要素については同じ符号が付されている。なお、構成の説明については既になされたので省略し、動作を中心に説明する。
【００２５】
図９、図１０はそれぞれ図３、図４においてソレノイド１がオン状態となった図であり、人形１３及びベース１０の一例について、それぞれ外観と内部構造とを示す図である。ソレノイド１がオン状態になると、ソレノイド１の駆動片２はソレノイド１の本体部分３に吸引される。したがって、駆動片２と連結される軸受部材６により支持されるプーリ５もソレノイド１による駆動を受け、ソレノイド１側方向に移動する。そのため、プーリ５にかけられるワイヤ７の固定端８とは反対側の所定位置に取り付けられる可動部材１１ａ、１１ｂ、１１ｃは、ワイヤ７の張力によって駆動される。図１０に示されるように、バネ１２は収縮し、可動部材１１ａ、１１ｂ、１１ｃは、それぞれバネ１２が嵌められる軸を中心に揺動される。可動部材１１ａは左上方向、１１ｂは右上方向、１１ｃは左下方向にそれぞれ突き当てられる。その結果、人形１３は図９に示されるように足と手とを上げ、頭を前へ出した姿勢をとる。
【００２６】
図１１（ａ）〜（ｄ）はそれぞれ図５（ａ）〜（ｄ）においてソレノイド１がオン状態となった図であり、第１実施形態に係る可動部材の駆動機構の分解図である。ソレノイド１がオン状態になると、ソレノイド１の駆動片２がソレノイド１の本体部分３に吸引される。図５（ａ）〜（ｄ）において説明されたように、周縁に柱状の凸部を有するように形成された軸受部材６は、ベースパーツ１０ｂと１０ｃとによって、ソレノイド１の駆動片２の駆動方向と平行に摺動自在に支持される。したがって、ソレノイド１の駆動片２がソレノイド１の本体部分３に吸引されるのに伴い、軸受部材６がベース１０によりソレノイド１側方向に直線的に摺動案内される。これにより、軸受部材６及び軸受部材６により回転可能に支持されるプーリ５は円滑に動作することが可能である。
【００２７】
図１２は図８においてソレノイド１がオン状態となった図であり、図１１に示される駆動機構のソレノイド１、プーリ５、軸受部材６及びワイヤ７の断面図である。図１２（ａ）に一点鎖線で示された切断線Ｘ‐Ｘで駆動機構を切断し、その切断面を矢印で示された向きから見た断面図が図１２（ｂ）、（ｃ）である。図１２（ｂ）の枠で囲われた部分は、プーリ５と軸受部材６とで囲われたワイヤ７の動作領域であり、図１２（ｃ）はその拡大図である。図１２からも明らかなように、ソレノイド１がオン状態になると、ソレノイド１の駆動片２と連結される軸受部材６により支持されるプーリ５もソレノイド１による駆動を受け、ソレノイド１側方向に移動する。
【００２８】
電流を流さなくすることにより、ソレノイド１はオフ状態に戻る。ソレノイド１がオフ状態になると、ソレノイド１の駆動片２はソレノイド１の本体部分３に吸引されなくなる。駆動片２と連結される軸受部材６により支持されるプーリ５もソレノイド１による駆動から開放される。ワイヤ７の張力によって駆動された可動部材１１ａ、１１ｂ、１１ｃは、バネ１２の弾性力によって、元の位置に戻される。可動部材１１ａ、１１ｂ、１１ｃは、バネ１２が与える弾性力によって再び図４に示されるように支持される。可動部材１１ａは右上方向、１１ｂは右下方向、１１ｃは右下方向にそれぞれ突き当てられる。その結果、人形１３は再び図３に示されるように足と手とを下げ、頭を後へ引いた姿勢に戻る。
【００２９】
このとき、バネ１２が与える弾性力によって、ワイヤ７を介して、ソレノイド１の駆動片２、プーリ５、軸受部材６も元の位置に戻される。この場合も、軸受部材６は、ベースパーツ１０ｂと１０ｃとによって、ソレノイド１の駆動片２の駆動方向と平行に摺動自在に支持されるため、軸受部材６及び軸受部材６により回転可能に支持されるプーリ５は円滑に動作することが可能である。したがって、ソレノイド１のオン状態、オフ状態を切り替えることで、人形１３を動作させることが可能であり、演出効果の向上が図られる。
【００３０】
次に、図１３〜図１６を参照して、本発明の第２実施形態に係る可動部材の駆動機構について説明する。図１３、図１４は、本発明の第２実施形態に係る可動部材１１ｄ、１１ｅ、１１ｆを備える人形１３及びその駆動機構を備えるベース１０について、それぞれ外観を示す正面図１３（ａ）、背面図１３（ｂ）と、内部構造を示す正面図１４（ａ）、背面図１４（ｂ）である。ここで、第２実施形態に係るベース１０は、第１実施形態に係るベース１０と多少形状が異なるが、基本的な構成は同様である。したがって、図１３、図１４では特に明示されていないが、軸受部材６はベース１０と嵌合されて摺動案内され、軸受部材６の内部にはプーリ５が回転可能に支持される。また、ソレノイド１及びワイヤ７の固定端８が固定部であるベース１０に固定される。以下では、第１実施形態と対応する部材等については同じ符号を付して説明を省略し、第２実施形態が第１実施形態と異なる点を中心に説明する。
【００３１】
図１３、図１４に示されるように、第２実施形態では５本のワイヤ７が用いられる。中の３本のワイヤ７はプーリ５にかけられる。中の３本のワイヤ７には、ワイヤ７の運動を可動部材１１ｄ、１１ｅ、１１ｆに伝達するリンクパーツ１４ａ、１４ｂ、１４ｃが取り付けられる。上下２本のワイヤ７は、図１４（ｂ）に示されるように固定部材１５ａ、１５ｂが取り付けられ、人形１３がワイヤ７を左右に移動しないように支える。また、図示されていないが、中の３本のワイヤ７について、ベース１０に固定される固定端８とは反対側の先端部には、ワイヤ７に張力を与える保持構造が設けられる。この保持構造は、例えば、各種のバネを始めとする弾性体にワイヤ７を接続するものや、滑車などを介しておもりにワイヤ７を接続するもの、他にも、ソレノイドの駆動を受ける動滑車をもう１つ設けて、ソレノイド１と交互にオン状態にされるようにし、その動滑車にワイヤ７をかけるものなどが考えられる。
【００３２】
ソレノイド１がオフ状態のときは、ソレノイド１の駆動片２は本体部分３に吸引されない。したがって、第１実施形態と同様に、駆動片２と連結される軸受部材６により支持されるプーリ５もソレノイド１による駆動を受けない。そのため、リンクパーツ１４ａ、１４ｂ、１４ｃは、上記の保持構造が与えるワイヤ７の張力によって、可動部材１１ｄ、１１ｅ、１１ｆに押し当てられる。図１４（ａ）に示されるように、バネ１２は収縮し、可動部材１１ｄは右上方向、１１ｅは右上方向、１１ｆは右下方向にそれぞれ突き当てられる。その結果、人形１３は図１３に示されるように、足を下げ、手を上げ、頭を後へ引いた姿勢をとる。
【００３３】
図１５、図１６はソレノイド１がオン状態のときの図であり、それぞれ図１３、図１４に対応する。構成については図１３、１４と同様であるため説明を省略し、オフ状態との相違点についてのみ説明する。第１実施形態と同様に、電流を流すことによりソレノイド１がオフ状態からオン状態になり、ソレノイド１の駆動片２が本体部分３に吸引され、軸受部材６がベース１０によりソレノイド１側方向に摺動案内される。軸受部材６に支持されるプーリ５もソレノイド１による駆動を受け、ソレノイド１側方向に駆動される。そのため、可動部材１１ｄ、１１ｅ、１１ｆに押し当てられていたリンクパーツ１４ａ、１４ｂ、１４ｃは、ソレノイド１が与えるワイヤ７の張力によって、ベース１０側方向に移動する。図１６（ａ）に示されるように、バネ１２の弾性力によって、可動部材１１ｄは左上方向、１１ｅは右下方向、１１ｆは左下方向にそれぞれ突き当てられる。その結果、人形１３は図１５に示されるように、足を上げ、手を下げ、頭を前へ出した姿勢をとる。電流を流さなくすることによりソレノイド１はオフ状態に戻り、再び上記の保持構造が与えるワイヤ７の張力によって、駆動片２、プーリ５、軸受部材６及び可動部材１１ｄ、１１ｅ、１１ｆは、元の位置に戻される。
【００３４】
このように第２実施形態では、５本のワイヤ７を用いて、中の３本のワイヤ７について、ベース１０に固定される固定端８とは反対側の先端部にワイヤ７に張力を与える保持構造を設けることにより、ワイヤ７の張力を制御することができる。また、人形１３とワイヤ７とを図１３〜図１６のように組み合わせることで、人形１３をボクサーに、ワイヤ７をリングのロープに見立てるようにするため、より高い演出効果が得られる。
【００３５】
図１７は図１に示される遊技盤における図柄変動処理のフローチャートの一例である。図柄変動開始指令が入力されると（Ｓ１：ＹＥＳ）、パチンコ機に通常備えられる制御部による所定の処理（Ｓ２、Ｓ３）の後、図柄表示装置１７では変動図柄の変動表示が開始される（Ｓ４）。変動図柄の変動表示開始に合わせて、人形１３及びその駆動機構を備えるベース１０を搭載した組物全体がモータ１８により回転駆動される。人形１３は遊技盤１６中央部の図柄表示装置１７前面に駆動される。続いて、ソレノイド１のオン、オフが切り替えられることで、既に説明されたように人形１３が駆動されて姿勢を変えることができる（Ｓ５）。変動図柄が一旦停止され（Ｓ６）、確定指令が入力されると（Ｓ７：ＹＥＳ）、変動図柄の確定表示がされ（Ｓ８）、図柄変動処理が終了する。図柄変動処理の終了に伴い、人形１３及びその駆動機構を備えるベース１０を搭載した組物全体がモータ１８により回転駆動される。人形１３は再び図柄表示装置１７の前面から遊技盤１６の端へ駆動される。このように、図柄表示装置１７による画像表示と人形１３とが連動することで、多様な演出が可能となる。本発明では、ソレノイド１に大型のソレノイドを選択する必要はなく、上記のように人形１３及びその駆動機構を備えるベース１０を搭載した組物全体をモータ１８によって駆動することも可能となる。
【００３６】
ここで、特許請求の範囲との対応は以下の通りである。
ソレノイド１はソレノイド、駆動片２は駆動片、プーリ５は動滑車、軸受部材６は軸受部材、ワイヤ７はワイヤ、固定端８は固定端、ベース１０は固定部、可動部材１１ａ〜１１ｆは演出用可動部材、のそれぞれ一例である。
【００３７】
以上、詳細に説明したように、本発明によれば、ソレノイド１の駆動を受けるプーリ５にかけられるワイヤ７を介して可動部材を動作させることができる。可動部材によって人形１３を構成し、演出効果の向上を図ることが可能となる。大きな可動範囲を得るために大型のソレノイドを選択する必要はなく、駆動機構を小型軽量にすることができる。また、一般にソレノイドの吸引力はストロークの短いところでは大きいが、長くなるにしたがって低下する特性を有する。しかし、本発明では動滑車を用いることで、可動部材の可動範囲をソレノイド駆動片２のストロークの最大２倍に拡張することができるため、ソレノイド１を吸引力の大きいストロークの範囲内で使用することができる。
【００３８】
なお、本発明は前記実施形態に限定されるものではなく、本発明の趣旨を逸脱しない範囲内での種々の改良、変更が可能であることは言うまでもない。
例えば、ソレノイド１のオン、オフの切り替えと人形１３の姿勢との対応は上記の実施形態に限られるものではない。また、ワイヤ７として、引き動作だけでなく押し動作も可能なプッシュプルケーブルを用いてもよい。
【００３９】
上記の実施形態では、軸受部材パーツ６ａ、６ｂに設けられた突起部によってプーリ５の軸が形成される。しかし、これに限られるものではない。プーリ５自体に軸を形成し、軸受部材パーツ６ａ、６ｂにはその軸を通す穴を設けて、その軸を受けるようにされてもよいことは言うまでもない。
【００４０】
上記実施形態から把握できる技術的思想について以下に記載する。
（１）請求項１に記載の軸受部材は、前記固定部と嵌合されて摺動案内されることを特徴とする請求項１に記載の遊技機。
このようにすれば、動滑車及び軸受部材を安定して駆動することが可能となる効果が得られる。
（２）前記ワイヤの前記固定端とは反対側の先端部に設けられて前記ワイヤに張力を与える保持構造を備え、前記保持構造は、前記ワイヤが弾性体に接続されることを特徴とする請求項１または技術的思想（１）に記載の遊技機。
（３）前記ワイヤの前記固定端とは反対側の先端部に設けられて前記ワイヤに張力を与える保持構造を備え、前記保持構造は、前記ワイヤが定滑車を介しておもりに接続されることを特徴とする請求項１または技術的思想（１）に記載の遊技機。
（４）前記ワイヤの前記固定端とは反対側の先端部に設けられて前記ワイヤに張力を与える保持構造を備え、前記保持構造は、前記ソレノイドと交互にオンされる第２のソレノイドの駆動を受ける第２の動滑車に前記ワイヤがかけられることを特徴とする請求項１または技術的思想（１）に記載の遊技機。
上記技術的思想（２）〜（４）のようにすれば、ワイヤの固定端とは反対側の先端部に設けられてワイヤに張力を与える保持構造により、ワイヤの張力を制御することができる。
【図面の簡単な説明】
【００４１】
【図１】第１実施形態を適用した遊技盤の一例を示す図。
【図２】同拡大図。
【図３】同実施形態に係る可動部材を備える人形及びその駆動機構の外観図。
【図４】同内部構造図。
【図５】同実施形態に係る駆動機構の分解図。
【図６】ソレノイド１の一例を示す図。
【図７】プーリ５（動滑車）の一例を示す図。
【図８】同実施形態に係る駆動機構の断面図。
【図９】図３についてソレノイドオン状態を示す図。
【図１０】図４についてソレノイドオン状態を示す図。
【図１１】図５についてソレノイドオン状態を示す図。
【図１２】図８についてソレノイドオン状態を示す図。
【図１３】第２実施形態に係る可動部材を備える人形及びその駆動機構の外観図。
【図１４】同内部構造図。
【図１５】図１３についてソレノイドオン状態を示す図。
【図１６】図１４についてソレノイドオン状態を示す図。
【図１７】図１の遊技盤における図柄変動処理のフローチャート。
【符号の説明】
【００４２】
１…ソレノイド、２…駆動片、５…プーリ、６…軸受部材、７…ワイヤ、８…ワイヤの固定端、１０…ベース、１１ａ〜１１ｆ…可動部材
【図１】
0005067248.tif 000002
【図２】
0005067248.tif 000003
【図３】
0005067248.tif 000004
【図４】
0005067248.tif 000005
【図５】
0005067248.tif 000006
【図６】
0005067248.tif 000007
【図７】
0005067248.tif 000008
【図８】
0005067248.tif 000009
【図９】
0005067248.tif 000010
【図１０】
0005067248.tif 000011
【図１１】
0005067248.tif 000012
【図１２】
0005067248.tif 000013
【図１３】
0005067248.tif 000014
【図１４】
0005067248.tif 000015
【図１５】
0005067248.tif 000016
【図１６】
0005067248.tif 000017
【図１７】
0005067248.tif 000018